(57)【要約】【課題】  複数の形態のコンピュータゲーム装置のそれぞれの特徴を活かし、個人及び複数人によるプレイを行うことのできる、ゲームシステムを提供すること。【解決手段】  据置型ゲーム機１と、携帯型端末装置２とを備えるゲームシステムであって、据置型ゲーム機１が、据置型ゲーム機１を利用した第１のゲームを提供する第１のゲーム提供手段と、第１のゲームによって作成されたキャラクタデータを携帯型端末装置２へと送信する第１のキャラクタデータ送信手段と、を有し、携帯型端末装置２が、携帯型端末装置２を利用した第２のゲームを提供する第２のゲーム提供手段と、第１のキャラクタデータ受信手段と、複数の携帯型端末装置２の間での通信を行う連携手段と、を有し、第２のゲームが、複数のユーザが複数の携帯型端末装置２を用いて、キャラクタデータを用いた対戦及び／又は協力プレイを行うものであることを特徴とする。【選択図】図１
2017113517.tif 000002
【特許請求の範囲】
【請求項１】
据置型ゲーム機と、携帯型端末装置とを備えるゲームシステムであって、
前記据置型ゲーム機が、
ユーザへと前記据置型ゲーム機を利用した第１のゲームを提供する第１のゲーム提供手段と、
前記第１のゲームによって作成されたキャラクタデータを保持する第１のキャラクタデータ記憶部と、
前記キャラクタデータを前記携帯型端末装置へと送信する第１のキャラクタデータ送信手段と、を有し、
前記携帯型端末装置が、
前記ユーザへと前記携帯型端末装置を利用した第２のゲームを提供する第２のゲーム提供手段と、
前記キャラクタデータを保持する第２のキャラクタデータ記憶部と、
前記第１のキャラクタデータ送信手段より前記キャラクタデータを受信する第１のキャラクタデータ受信手段と、
複数の前記携帯型端末装置の間での通信を行う連携手段と、を有し、
前記第２のゲームが、複数の前記ユーザが複数の前記携帯型端末装置を用いて、前記キャラクタデータを用いた対戦及び／又は協力プレイを行うものであることを特徴とする、ゲームシステム。
【請求項２】
前記第２のゲーム提供手段が、前記第２のゲームの実行結果に基づいて前記キャラクタデータの更新を行い、
前記携帯型端末装置が前記キャラクタデータを前記据置型ゲーム機へと送信する第２のキャラクタデータ送信手段を有し、
前記据置型ゲーム機が、前記第２のキャラクタデータ送信手段より前記キャラクタデータを受信する第２のキャラクタデータ受信手段を有することを特徴とする、請求項１に記載のゲームシステム。
【請求項３】
前記連携手段が、複数の前記携帯型端末装置の間で近距離無線通信を行うことを特徴とする、請求項１又は請求項２に記載のゲームシステム。
【請求項４】
前記連携手段が、複数の前記携帯型端末装置の間で無線アドホックネットワークによる通信を行うことを特徴とする、請求項１から請求項３の何れかに記載のゲームシステム。
【請求項５】
前記キャラクタデータが、キャラクタの所持するアイテムに関するデータを含み、
前記第１のゲームの内容が、前記キャラクタによる前記アイテムの収集を含むものであることを特徴とする、請求項１から請求項４の何れかに記載のゲームシステム。
【発明の詳細な説明】
【技術分野】
【０００１】
本発明は、ゲームシステム、より詳細には、据置型ゲーム機等と携帯型端末装置とを連携したゲームシステムに関する。
【背景技術】
【０００２】
コンピュータ技術の発展に伴い、パーソナルコンピュータや、家庭用の据置型ゲーム機、店舗設置型のアーケードゲーム機など、種々のコンピュータゲーム装置が利用されている。特に、近年では、コンピュータ装置の小型化も進み、携帯型ゲーム機やスマートフォン端末装置など、小型の携帯型端末装置を利用したコンピュータゲームも多くみられる。
【０００３】
このように、様々な形態を採用したコンピュータゲーム装置があるために、複数の形態のコンピュータを連携することで、より多様な楽しみ方をできるようなゲームシステムが考えられてきた。
【０００４】
例えば、特許文献１には、据置型ゲーム機と携帯電話等の携帯型ゲーム機とで、それぞれの装置に適した画質の画像を表示しながら、同一のゲームを進行することのできるゲームシステムが記載されている。
【０００５】
また、インターネットなどのネットワークを通じ、同種の、あるいは複数種類のコンピュータゲーム装置がサーバ装置などを介して互いに通信し、共同、あるいは対戦プレイを行う、いわゆるオンライン通信プレイなども広く行われている。あるいは、携帯型の端末装置であれば、近距離での無線通信などを利用した共同プレイや対戦プレイが可能なコンピュータゲーム装置も見られる。
【先行技術文献】
【特許文献】
【０００６】
【特許文献１】特表２００７−５２８７５７号公報
【発明の概要】
【発明が解決しようとする課題】
【０００７】
上述したように、コンピュータゲーム装置には様々な形態のものがある。そしてそれらの形態は、それぞれに利点や欠点を持っていると言える。例えば、アーケードゲーム機であれば、複数人での共同プレイや対戦プレイなど、臨場感豊かなプレイを楽しむことができる。そのため、格闘ゲームなどをプレイするために非常に好適である。その反面、プレイするためには筐体が設置される店舗に出向く必要がある。また、プレイする際に都度利用料を支払う形態がとられることが多いため、じっくりとやりこむような、内容の多い、ＲＰＧ（ロールプレイングゲーム）などの種類のゲームのプレイには向かないと言える。
【０００８】
据置型ゲーム機であれば、高性能なコンピュータ装置とテレビ画面などを利用して、手軽にかつ高精細な画像によるゲームプレイを楽しむことができる。また、ゲームソフトが記録された媒体、あるいはネットワークを通じて取得可能なゲームソフトのデータそのものを購入してプレイする形態が多く、ＲＰＧのようなゲームをやり込む用途に好適であると言える。一方で、臨場感などにおいては、より大がかりな装置を用いることのできるアーケードゲーム機にはかなわないと言える。また、複数人での対戦プレイや協力プレイをする場合においても、一つの画面を分割してそれぞれのプレイヤの操作画面を表示する必要があったり、何れかのプレイヤの自宅に全プレイヤが集まる必要があったりと、不都合が多い。
【０００９】
携帯型ゲーム機であれば、手軽に持ち運ぶことができるため、出先などでも手軽にプレイすることができる。そのため、複数人のプレイヤが集まっての対戦／協力プレイなども、場所の制約なく手軽に行うことができる。しかし、据置型ゲーム機やアーケードゲーム機に比べて画面が小さくなるため、臨場感に欠くことも多く、また、プレイヤの目の疲労なども起きやすい。
【００１０】
このように、それぞれの形態のコンピュータゲーム装置は、それぞれに得手不得手を持っていると言える。特許文献１に記載の技術によれば、据置型ゲーム機と携帯型ゲーム機の描画性能の差による問題などを解消し得る。しかし、据置型ゲーム機と携帯型ゲーム機との間では、それぞれの操作感における差も非常に大きいと言える。昨今の据置型ゲーム機やパーソナルコンピュータのゲーム用コントローラなどの多くは、十字キーや複数のボタン、一つ又は複数のジョイスティック、押し込みによる入力値の大小の判定が可能なトリガ形式のボタンなどを備えるため、携帯型ゲーム機それ自体よりも大型な場合も多い。一方で、携帯型ゲーム機は小型、軽量化などのために、多くの物理ボタンは持たないことが多い。特に、スマートフォン端末装置などにおいては、物理ボタンはごく少数であり、タッチスクリーンによる入力操作を主とするものが多いと言える。そのため、種々の物理ボタンを多用する据置型ゲーム機における操作感と、タッチスクリーンによる自由な操作を持ち味とする携帯型ゲーム機とでは、同一内容のゲームによってそれぞれの長所を活かすことは難しい。そのため、同一内容のゲームを据置型ゲーム機と携帯型ゲーム機によってプレイ可能な構成としてしまうと、何れかのゲーム機によるプレイに不都合が生じてしまう、あるいは、両方のゲーム機で不都合が起きないようにしたために、どちらの形態のゲーム機においてもその持ち味を活かすことができない、といった問題が生じる。
【００１１】
また、据置型ゲーム機や携帯型ゲーム機などの種々のコンピュータゲーム装置によるオンライン通信プレイは、通信環境さえあれば共同プレイや対戦プレイを行えるが、プレイヤ同士が密なコミュニケーションをとることが難しいという問題がある。
【００１２】
そこで、本発明では、複数の形態のコンピュータゲーム装置のそれぞれの特徴を活かし、個人及び複数人によるプレイを行うことのできる、ゲームシステムを提供することを課題とする。
【課題を解決するための手段】
【００１３】
上記課題を解決するために、本発明に係るゲームシステムは、
据置型ゲーム機と、携帯型端末装置とを備えるゲームシステムであって、
前記据置型ゲーム機が、
ユーザへと前記据置型ゲーム機を利用した第１のゲームを提供する第１のゲーム提供手段と、
前記第１のゲームによって作成されたキャラクタデータを保持する第１のキャラクタデータ記憶部と、
前記キャラクタデータを前記携帯型端末装置へと送信する第１のキャラクタデータ送信手段と、を有し、
前記携帯型端末装置が、
前記ユーザへと前記携帯型端末装置を利用した第２のゲームを提供する第２のゲーム提供手段と、
前記キャラクタデータを保持する第２のキャラクタデータ記憶部と、
前記第１のキャラクタデータ送信手段より前記キャラクタデータを受信する第１のキャラクタデータ受信手段と、
複数の前記携帯型端末装置の間での通信を行う連携手段と、を有し、
前記第２のゲームが、複数の前記ユーザが複数の前記携帯型端末装置を用いて、前記キャラクタデータを用いた対戦及び／又は協力プレイを行うものであることを特徴とする。
【００１４】
このように、据置型ゲーム機で第１のゲーム、携帯型端末装置で第２のゲーム、というようにそれぞれ異なるゲームを提供する構成とすることによって、それぞれの装置の処理能力や操作感に適合したゲームをユーザへと提供することができる。また、据置型ゲーム機と携帯型端末装置の双方の利点を活かし、据置型ゲーム機で作成したキャラクタデータを携帯型端末装置によって持ち出し、複数人のユーザで連携したプレイを行うことができる。
【００１５】
本発明の好ましい形態では、前記第２のゲーム提供手段が、前記第２のゲームの実行結果に基づいて前記キャラクタデータの更新を行い、
前記携帯型端末装置が前記キャラクタデータを前記据置型ゲーム機へと送信する第２のキャラクタデータ送信手段を有し、
前記据置型ゲーム機が、前記第２のキャラクタデータ送信手段より前記キャラクタデータを受信する第２のキャラクタデータ受信手段を有することを特徴とする。
これにより、携帯型端末装置を用いて行った連携プレイの結果をキャラクタデータに反映することができ、据置型ゲーム機と携帯型端末装置のそれぞれにおいて実行するゲーム内容を、より密接に関連付けることができる。
【００１６】
本発明の好ましい形態では、前記連携手段が、複数の前記携帯型端末装置の間で近距離無線通信を行うことを特徴とする。
これにより、ユーザは携帯型端末装置同士の連携を簡単に行うことができる。
【００１７】
本発明の好ましい形態では、前記連携手段が、複数の前記携帯型端末装置の間で無線アドホックネットワークによる通信を行うことを特徴とする。
これにより、無線アクセスポイントなどの機器を別途用意せずとも、簡単に複数の携帯型端末装置間における通信を行うことができる。
【００１８】
本発明の好ましい形態では、前記キャラクタデータが、キャラクタの所持するアイテムに関するデータを含み、
前記第１のゲームの内容が、前記キャラクタによる前記アイテムの収集を含むものであることを特徴とする。
このように、据置型ゲーム機の提供するゲーム内容にキャラクタによるアイテムの収集を含み、それを携帯型ゲームへ送信するキャラクタデータに含めることで、ユーザ同士でのアイテムの見せ合いや交換など、より多様なユーザ同士の連係プレイを行うことができる。
【発明の効果】
【００１９】
据置型ゲーム機と携帯型端末装置のそれぞれの特徴を活かすことのできるゲームシステムを提供することができる
【図面の簡単な説明】
【００２０】
【図１】本発明の一実施形態におけるゲームシステムの構成を示す図である。
【図２】本発明の一実施形態における据置型ゲーム機の機能ブロック図である。
【図３】本発明の一実施形態における携帯型端末装置の機能ブロック図である。
【図４】本発明の一実施形態におけるゲームシステムの利用の流れを示すフローチャートである。
【発明を実施するための形態】
【００２１】
以下、本発明の一実施形態について、図面を参照して詳細に説明する。図１は、本実施形態に係るゲームシステムの構成を示す図である。ここに示すように、本発明に係るゲームシステムは、複数の据置型ゲーム機１と、複数の携帯型端末装置２とを備える。
【００２２】
図１（ａ）は、ユーザが個人で本発明に係るゲームシステムを利用する場合の構成を示す図である。ユーザは、据置型ゲーム機１を用いてキャラクタデータを作成し、それを携帯型端末装置２へと送信する。ここでは、一例として、据置型ゲーム機１ａ及び携帯型端末装置２ａを利用するユーザＡと、同じく据置型ゲーム機１ｂ及び携帯型端末装置２ｂを利用するユーザＢ、据置型ゲーム機１ｃ及び携帯型端末装置２ｃを利用するユーザＣの３人のユーザがいる場合を想定している。そして、各ユーザは、各々の自宅などの任意の場所で本実施形態に係るゲームシステムを利用する。
【００２３】
図１（ｂ）は、ユーザが複数人で本発明に係るゲームシステムを利用する場合の構成を示す図である。この場合には、複数の携帯型端末装置２のそれぞれの間での通信を行い、複数人のユーザが連携してゲームをプレイするものである。すなわち、ユーザＡ、ユーザＢ、ユーザＣが、各々の利用する携帯型端末装置２ａ、２ｂ、２ｃを持ち寄り、ゲームをプレイする。
【００２４】
図２は、本実施形態に係る据置型ゲーム機１の機能ブロック図である。据置型ゲーム機１は、キャラクタの育成ゲームを提供する育成ゲーム提供手段１１と、育成したキャラクタのデータを保持するキャラクタデータ記憶部１２と、キャラクタデータを携帯型端末装置２へと送信するキャラクタデータ送信手段１３と、キャラクタデータを携帯型端末装置より受信するキャラクタデータ受信手段１４と、を備える。
【００２５】
据置型ゲーム機１は、演算装置、主記憶装置、補助記憶装置、各種の入出力装置を備えた、コンピュータ装置を利用することができる。例えば、メーカーが家庭向けに販売している、コンシューマゲーム機と呼ばれるようなゲーム専用のハードウェアや、パーソナルコンピュータ装置などであり、テレビやディスプレイ装置などに接続して利用される。
【００２６】
キャラクタデータ送信手段１３及びキャラクタデータ受信手段１４としては、携帯型端末装置２の構成に合わせ、Ｂｌｕｅｔｏｏｔｈ（登録商標）通信や近距離無線通信、ＬＡＮ（Ｌｏｃａｌ  Ａｒｅａ  Ｎｅｔｗｏｒｋ）を介した通信、無線アドホックネットワークによる通信など、有線／無線を問わない種々の通信手段を用いることができる。また、複数の通信手段から携帯型端末装置２に合わせて、利用する通信手段を選択可能な構成としてもよい。
【００２７】
図３は、本実施形態に係る携帯型端末装置２の機能ブロック図である。携帯型端末装置２は、複数人のユーザによる各々のキャラクタを用いた対戦や協力プレイを行う連携ゲームを提供する連携ゲーム提供手段２１と、連携ゲームの実施のために複数の携帯型端末装置２同士の通信を行う連携手段２２と、据置型ゲーム機１より受信したキャラクタデータを保持するキャラクタデータ記憶部２３と、キャラクタデータを据置型ゲーム機１へと送信するキャラクタデータ送信手段２５と、を備える。
【００２８】
携帯型端末装置２は、演算装置、主記憶装置、補助記憶装置、各種の入出力装置などを備え、持ち運びが可能な小型のコンピュータ装置を用いることができる。例えば、携帯型ゲーム機のようなゲーム専用のハードウェア、携帯電話やスマートフォン端末装置、タブレット型端末装置などが挙げられる。
【００２９】
キャラクタデータ受信手段２４、キャラクタデータ送信手段２５としては、据置型ゲーム機１の構成に合わせ、Ｂｌｕｅｔｏｏｔｈ通信や近距離無線通信、ＬＡＮ（Ｌｏｃａｌ  Ａｒｅａ  Ｎｅｔｗｏｒｋ）を介した通信、無線アドホックネットワークによる通信など、有線／無線を問わない種々の通信手段を用いることができる。複数の通信手段から利用する通信手段を選択可能な構成としてもよい。
【００３０】
また、連携手段２２としても、キャラクタデータ受信手段２４、キャラクタデータ送信手段２５と同様の通信手段を用いてもよいし、それらとは異なる通信手段を用意してもよい。特に、連携手段２２によって用いる通信手段は、Ｂｌｕｅｔｏｏｔｈ通信や近距離無線通信、無線アドホックネットワークによる通信など、無線アクセスポイントのような親機を必要としない無線通信であることが好ましい。
【００３１】
なお、本実施形態においては、図１（ａ）に示したように、据置型ゲーム機１と携帯型端末装置２との間を、無線、あるいは有線で直接接続し、キャラクタデータの送受信を行う構成を示したが、図示しないサーバ装置を備え、それを経由してキャラクタデータの送受信を行うような構成としてもよい。すなわち、据置型ゲーム機１をインターネットに接続可能に構成し、キャラクタデータをサーバ装置にアップロードした後に、同じくインターネットに接続可能に構成された携帯型端末装置２により、それをダウンロードする、といった構成である。更に、据置型ゲーム機１による育成ゲームのプレイ中に、定期的にキャラクタデータをアップロードする構成とすれば、ユーザは外出前などに都度据置型ゲーム機１と携帯型端末装置２とを接続し、キャラクタデータの送受信を行わずともよくなる。
【００３２】
図４は、本実施形態におけるゲームシステムの利用の流れを示すフローチャートである。ゲームシステムの利用に際しては、まず、ステップＳ１０１で据置型ゲーム機１によって育成ゲームを行い、キャラクタデータＤ１を生成する。
【００３３】
なお、ここでの育成ゲームとしては、例えば、キャラクタにトレーニングなどの指示を行い、成長させていくような育成シミュレーションゲームや、キャラクタに冒険をさせながら、敵キャラクタとの戦闘などの行為によってキャラクタを成長させていくＲＰＧ（ロールプレイングゲーム）など、種々の内容のゲームが挙げられる。すなわちここでは、ゲームの進行によってキャラクタの能力値などが変化していくようなゲームを、総じて育成ゲームと呼称している。
【００３４】
このように、キャラクタを育成していく、といったように、じっくりやり込むような性格のゲームは、据置型ゲーム機によって自宅でプレイすることが好ましいと言える。
【００３５】
そして、ステップＳ１０２で、据置型ゲーム機１と携帯型端末装置２とを、無線通信、あるいは有線通信によって接続し、キャラクタデータＤ１を、ステップＳ１０２で携帯型端末装置２へと送信し、携帯型端末装置２は、ステップＳ１０３でキャラクタデータＤ１を受信する。キャラクタデータＤ１を受信した後には、据置型ゲーム機１と携帯型端末装置２と無線／有線通信を切断し、ユーザは携帯型端末装置２を外出先などに自由に持ち出すことができる。
【００３６】
そして、ステップＳ１０４で、複数の携帯型端末装置２を連携し、複数人のユーザによって連携ゲームをプレイする。連携ゲームの内容としては、例えば、各ユーザが育成したキャラクタを対戦させるような対戦プレイが挙げられる。あるいは、各ユーザがそれぞれ育成させたキャラクタを協力させ、目的の達成を目指すような協力プレイが可能な構成としてもよい。
【００３７】
可搬性の高い携帯型端末装置２を用いることにより、ユーザは様々な場所に携帯型端末装置２を持ち寄り、連携プレイを行うことができる。そして、ユーザが実際に集まって連携ゲームをプレイすることにより、インターネットなどを介したオンライン通信プレイでは不可能な、ユーザ間の密なコミュニケーションをとることができる。
【００３８】
そして、連携ゲームは、携帯型端末装置２でのプレイに最適化されていることが好ましい。すなわち、携帯型端末装置の処理能力や画面サイズに適したゲーム内容の表示や、タッチスクリーンや比較的少数の物理ボタンなど、携帯型端末装置の持つ入力手段に適した操作方法であることが好ましい。
【００３９】
続くステップＳ１０５では、ステップＳ１０４における連携ゲームの結果に基づいて、キャラクタデータＤ１を更新してキャラクタデータＤ２とし、ステップＳ１０６でそれを据置型ゲーム機へと送信する。
【００４０】
そして、ステップＳ１０７で、据置型ゲーム機１がキャラクタデータＤ２を受信し、ゲームシステムの利用に係る一連の流れは終了する。なお、携帯型端末装置２によって更新されたキャラクタデータＤ２を受信した据置型ゲーム機１は、それを育成ゲームによって再度利用可能な構成とすることが好ましい。
【００４１】
以上のように、本実施形態に係るゲームシステムにおいては、据置型ゲーム機と携帯型端末装置という異なる特徴を有する装置を用いて、それぞれに適した内容のゲームを提供する構成とすることにより、ユーザはストレスなくゲームをプレイすることができる。
【００４２】
すなわち、ユーザは、携帯型端末装置２と比較して高い処理能力や豊富な入力手段を有する据置型ゲーム機１を用いることにより、キャラクタの育成をじっくりと行うことができる。そして、携帯型端末装置２を持ち寄って顔を合わせて対戦プレイや協力プレイを行うことにより、ユーザは密なコミュニケーションをとりながらゲームをプレイすることができる。
【００４３】
また、ステップＳ１０１において、ユーザが据置型ゲーム機１によってプレイするゲーム内容に、キャラクタの所持品や装備品の取得、製作といった、アイテムの収集を含むような構成としてもよい。この場合、ステップＳ１０２で据置型ゲーム機１から携帯型端末装置２へと送信するキャラクタデータＤ１に、キャラクタの能力値などに加えて、キャラクタの所持するアイテム情報を含める。
【００４４】
このように、キャラクタデータＤ１にアイテムデータを含めることにより、Ｓ１０４で、キャラクタの所持するアイテムの見せ合いや、それを用いた対戦、協力プレイなどを、携帯型端末装置２を用いて行うことができる。
【００４５】
さらに、Ｓ１０４でユーザ同士でのアイテムの交換などを行い、それをステップＳ１０６で携帯型端末装置２から据置型ゲーム機１へと送信するキャラクタデータＤ２に含めることで、携帯型端末装置２による連携プレイによって取得した、あるいは失ったアイテムデータを、据置型ゲーム機１によってプレイするゲーム内容へと反映することができる。
【００４６】
このように、キャラクタデータＤ１やキャラクタデータＤ２に、キャラクタそのものの能力値等のみでなく、キャラクタの所持するアイテムデータを含めることで、ユーザ同士の連係プレイをより多様なものとすることができる。
【符号の説明】
【００４７】
１  据置型ゲーム機
１１  育成ゲーム提供手段
１２  キャラクタデータ記憶部
１３  キャラクタデータ送信手段
１４  キャラクタデータ受信手段
２  携帯型端末装置
２１  連携ゲーム提供手段
２２  連携手段
２３  キャラクタデータ記憶部
２４  キャラクタデータ受信手段
２５  キャラクタデータ送信手段
Ｄ１、Ｄ２  キャラクタデータ
【図１】
2017113517.tif 000003
【図２】
2017113517.tif 000004
【図３】
2017113517.tif 000005
【図４】
2017113517.tif 000006
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
据置型ゲーム機と、携帯型端末装置と、サーバ装置と、を備えるゲームシステムであって、
前記据置型ゲーム機が、
ユーザへと前記据置型ゲーム機を利用した第１のゲームを提供する第１のゲーム提供手段と、
前記第１のゲームによって作成されたキャラクタデータを保持する第１のキャラクタデータ記憶部と、
前記キャラクタデータを定期的に前記サーバ装置へと送信する第１のキャラクタデータ送信手段と、を有し、
前記携帯型端末装置が、
前記ユーザへと前記携帯型端末装置を利用した第２のゲームを提供する第２のゲーム提供手段と、
前記キャラクタデータを保持する第２のキャラクタデータ記憶部と、
前記サーバ装置より前記キャラクタデータを受信する第１のキャラクタデータ受信手段と、
複数の前記携帯型端末装置の間での通信を行う連携手段と、を有し、
前記第２のゲームが、複数の前記ユーザが複数の前記携帯型端末装置を用いて、前記キャラクタデータを用いた対戦及び／又は協力プレイを行うものであることを特徴とする、ゲームシステム。
【請求項２】
前記第２のゲーム提供手段が、前記第２のゲームの実行結果に基づいて前記キャラクタデータの更新を行い、
前記携帯型端末装置が前記キャラクタデータを前記据置型ゲーム機へと送信する第２のキャラクタデータ送信手段を有し、
前記据置型ゲーム機が、前記第２のキャラクタデータ送信手段より前記キャラクタデータを受信する第２のキャラクタデータ受信手段を有することを特徴とする、請求項１に記載のゲームシステム。
【請求項３】
前記連携手段が、複数の前記携帯型端末装置の間で近距離無線通信を行うことを特徴とする、請求項１又は請求項２に記載のゲームシステム。
【請求項４】
前記連携手段が、複数の前記携帯型端末装置の間で無線アドホックネットワークによる通信を行うことを特徴とする、請求項１から請求項３の何れかに記載のゲームシステム。
【請求項５】
前記キャラクタデータが、キャラクタの所持するアイテムに関するデータを含み、
前記第１のゲームの内容が、前記キャラクタによる前記アイテムの収集を含むものであることを特徴とする、請求項１から請求項４の何れかに記載のゲームシステム。
【手続補正２】
【補正対象書類名】明細書
【補正対象項目名】００１３
【補正方法】変更
【補正の内容】
【００１３】
上記課題を解決するために、本発明に係るゲームシステムは、
据置型ゲーム機と、携帯型端末装置と、サーバ装置と、を備えるゲームシステムであって、
前記据置型ゲーム機が、
ユーザへと前記据置型ゲーム機を利用した第１のゲームを提供する第１のゲーム提供手段と、
前記第１のゲームによって作成されたキャラクタデータを保持する第１のキャラクタデータ記憶部と、
前記キャラクタデータを定期的に前記サーバ装置へと送信する第１のキャラクタデータ送信手段と、を有し、
前記携帯型端末装置が、
前記ユーザへと前記携帯型端末装置を利用した第２のゲームを提供する第２のゲーム提供手段と、
前記キャラクタデータを保持する第２のキャラクタデータ記憶部と、
前記サーバ装置より前記キャラクタデータを受信する第１のキャラクタデータ受信手段と、
複数の前記携帯型端末装置の間での通信を行う連携手段と、を有し、
前記第２のゲームが、複数の前記ユーザが複数の前記携帯型端末装置を用いて、前記キャラクタデータを用いた対戦及び／又は協力プレイを行うものであることを特徴とする。